(57)【要約】      （修正有）【課題】造花でありながら開花の様子を一定時間内に観賞して楽しめ、極めて演出性の高い、祝い等の席を彩るのにふさわしい造花を提供する。【解決手段】花弁基材（４）とその片面に膨潤材（８）、もう片方に形状保持材（７）を、塗布、あるいは貼り付ける。花弁基材（４）は、布様やシート状のもので、模する花の質感などに近いものを選び、収縮伸展性が無いか、小さいものとする。湿りを与えることによって伸展する膨潤材（８）は、この花弁基材（４）の片面に密着し、加湿による伸展性の差によって、伸展性の小さい方に反る。【選択図】図１５
2017122300.tif 000002
【特許請求の範囲】
【請求項１】
注水や加湿によって［図１］、［図６］、［図１０］、［図１５］、［図２８］に示す蕾状態から［図２］、［図７］、［図１４］、［図１９］、［図２９］に示す開花状態へと変化する造花を提供する。
【請求項２】
花弁（３）に、注水か加湿することで［図１］に示す蕾状態の造花（１）から［図２］に示す開花状態の造花（２）へと変化する造花を提供する。
蕾状態の造花（１）から開花状態の造花（２）へと変化する造花は、数枚の花弁（３）が、がく（９）でまとめて留められたもので、［図４］に示す花弁（３）は布、もしくは、不織布、紙、プラスチックシート等からなる花弁基材（４）と花弁（３）を支え、開花形状目標（ｄ）を記憶した形状保持材（７）とで構成さる。［図３］に示す花弁（３）の基部はがく（９）で固定され、花弁（３）の先端付近に、注水か加湿すると接着力、あるいは、粘着力を低下して、はがれるのり（５）で固定して蕾状態の造花（１）とする。［図３］に示す蕾状態の造花（１）の花弁（３）に注水か加湿することで、数枚の花弁（３）同士がその先端付近を固定しているのり（５）が接着力、あるいは、粘着力を失い、もしくは、低下させ、はがれ、花弁（３）を支持する形状保持材（７）によって開花挙動方向（ａ）へと導かれて、［図５］に示す開花状態の造花（２）となる。
花弁基材（４）は、湿り気を速やかに広げる素材が、より望ましい。また、花弁基材（４）自体は、開花形状目標（ｄ）を記憶できる形状保持材（７）であってもよい。
【請求項３】
花弁（３）に、注水か加湿することで［図６］に示す蕾状態の造花（１）から［図７］に示す開花状態の造花（２）へと変化する造花を提供する。
蕾状態の造花（１）から開花状態の造花（２）へと変化する造花は、数枚の花弁（３）が。がく（９）に子房ピン（１６）でまとめて留められたもので、［図８］花弁（３）は布、もしくは、不織布、紙、プラスチックシート等からなる花弁基材（４）と花弁（３）を支え、開花形状目標（ｄ）を記憶した形状保持材（７）とで構成さる。［図８］に示す花弁（３）の基部はがく（９）に子房ピン（１６）等で固定され、花弁（３）同士を、注水か加湿するととける溶解性糸（６）で固定して蕾状態の造花（１）とする。［図４］及び［図８］に示す蕾状態の造花（１）の花弁（３）に注水か加湿することで、数枚の花弁（３）同士を貫き、固定している溶解性糸（６）が、その結束力を失い、ばらけて、［図９］に示す開花状態の造花（２）となる。花弁基材（４）は、湿り気を速やかに広げる素材が、より望ましい。また、花弁基材（４）自体は、開花形状目標（ｄ）を記憶できる形状保持材（７）としてもよい。
【請求項４】
花弁（３）に、注水か加湿することで［図１０］に示す蕾状態の造花（１）から［図１４］に示す開花状態の造花（２）へと変化する造花を提供する。
蕾状態の造花（１）から開花状態の造花（２）へと変化する造花は花弁（３）の基部をがく（９）で結束固定され、花弁（３）は、［図１７］に示す花弁（３）断面モデルの上面にＩとＩＩとＩＩＩの範囲で、膨潤材（８）が張り付く、注水か加湿することで膨潤作用で展伸、展開する部分と［図１７］の花弁（３）断面モデルの下面に、ＩＩＩとＩＶの範囲で形状保持材（７）で展伸、展開による変形を抑制する部分とで構成され、乾燥時は蕾状態の造花（１）となり、注水か加湿によって開花状態の造花（２）となる。花弁基材（４）は、注水か加湿によって水分を吸収し、速やか、かつ、一様に水分を浸透させる素材である。目的の花の形状や開花演出の特性を考慮し適宜、膨潤による展伸、展開する部分と形状の変形を抑制する部分を配置する。［図１１］及び［図１２］、［図１３］に示す花弁（３）はその植物の特徴的な開花に似せた挙動を誘導するために、伸び縮みの無い、あるいは、伸び縮の極めて小さい素材を花弁基材（４）とし、この花弁基材（４）の一面に膨潤材（８）を全面あるいは一部に張り付ける、あるいは、塗り付けて一体化し、これに注水や加湿することで反り返りや開きとして展開して開花状態の造花（２）とする。花弁基材（４）の膨潤材（８）を施す面とは反対の面には伸び縮みの変化を起こさせず、形状を保持させる部分に形状保持材（７）を張り付ける、あるいは、塗り付ける。
膨潤性のある花弁基材（４）を使用する場合は、膨潤材と水分の浸透性素材との両方の働きを兼ねることもできる。
【請求項５】
花弁（３）に、注水か加湿することで［図１０］に示す蕾状態の造花（１）から［図１４］に示す開花状態の造花（２）へと変化する造花を提供する。［図１８］に示す蕾状態の造花（１）から［図１９］に示す開花状態の造花（２）へと変化する造花は花弁（３）とめしべ（１４）とおしべ（１５）とは椀型弾性基台（１７）に固定され、その椀型弾性基台（１７）はがく（９）に椀を伏せた形で収められる。椀型弾性基台（１７）とがく（９）とに閉じられてがく内室（１８）がつくられる。その中に膨潤材ブロック（１９）が収められる。蕾状態の造花（１）のときは、椀型弾性基台（１７）が凹み、花弁（３）を内側に閉じた状態にし、がく（９）の縁に仕掛けた締付けリング（１０）が、椀型弾性基台（１７）を凹めて、花弁（３）を閉じた状態に固定する。
［図１９］に示す椀型弾性基台（１７）、あるいは、椀型弾性基台（１７）とがく（９）の隙間から浸水した水を得て、膨潤材ブロック（１９）は膨潤し、椀型弾性基台（１７）の凹みを押し上げて、椀型弾性基台（１７）の上に設置された花弁（３）を展開し開花状態の造花（２）となる。椀型弾性基台（１７）が透水性としない場合は、造花の茎（１１）を導管（１２）として、その下端に、［図２２］と［図２３］に示す送水ポンプ（２０）を設置することによって、膨潤材ブロック（１９）に水分を供給してもよい。送水の一例である［図２２］と［図２３］に示す送水ポンプ（２０）は、溶解性糸（６）によって送水ポンプ（２０）内に水を蓄えた状態に保っており、溶解性糸（６）に水がかかると、溶解性糸（６）が溶けて、ばね（２４）によってピストン（２２）が押し上げられて、膨潤ブロック（１９）に水が供給され、開花状態の造花（２）とする仕組みとする。送水ポンプ（２０）はばね（２４）の替わりに磁石の引き寄せや反発する力を利用することもできる。
【請求項６】
花差しなどに置かれた造花の茎（１１）下端部に、注水か加湿することで［図２４］に示す蕾状態の造花（１）から［図２５］に示す開花状態の造花（２）へと変化する造花を提供する。
［図２４］に示す蕾状態の造花（１）から［図２５］に示す開花状態の造花（２）へと変化する造花は花弁（３）とめしべ（１４）とおしべ（１５）とは椀型弾性基台（１７）に固定され、その椀型弾性基台（１７）はがく（９）に椀を伏せた形で収められる。椀型弾性基台（１７）とがく（９）とに閉じられてがく内室（１８）がつくられる。その中に膨潤材ブロック（１９）が収められる。
蕾状態の造花（１）のときは、椀型弾性基台（１７）の頂端部の内側は連携ワイヤー（２５）で繋がれ、この連携ワイヤー（２５）に引っ張られて、椀型弾性基台（１７）が凹み、花弁（３）を内側に閉じた状態になる。この蕾の状態を保持するために、椀型弾性基台（１７）の頂端部の内側とつながった連携ワイヤー（２５）は、導管（１２）となる茎（１１）を通して、茎（１１）下端部のストッパー（２７）によって、張り詰めた状態で維持される。［図２６］及び［図２７］に示すストッパー（２７）は、茎（１１）をとおして伸びた連携ワイヤー（２５）をストッパー（２７）のシリンダー（２１）の外側に折り返されて溶解性糸（６）に結ばれ、連携ワイヤー（２５）の緊張を保っている。
この溶解性糸（６）に水がかかると、溶解性糸（６）が溶けて、連携ワイヤー（２５）の緊張が解かれて、椀型弾性基台（１７）の凹みは椀型に戻り、椀型弾性基台（１７）の上に設置された花弁（３）が展開し開花状態の造花（２）となる。このとき椀型弾性基台（１７）は、この連携ワイヤー（２５）の緊張を解放すると、凹みは椀型へともどる素材とする。
【請求項７】
水面に浮かべ、あるいは、沈水することで［図２８］に示す蕾状態の造花（１）から［図２９］に示す開花状態の造花（２）に変化する造花を提供する。
蕾状態の造花（１）は、フロート（２８）とバラスト（２９）を備え、水（１３）に浸すと垂直に立った姿勢を保ちながら、一定の時間をかけて喫水に達すると開花状態の造花（２）となる造花である。
［図３０］及び［図３１］に示すがく（９）は、底部にバラスト（２９）があり、がく内室（１８）にはその底側面に取水口（３１）が穿たれており、そこからの水（１３）のがく内室（１８）への浸水によりフロート（２８）が浮上できる空間を持っている。また、がく内室（１８）の側壁面にはハネ板（３０）が突き出ており、このハネ板（３０）はがく内室（１８）の外の花弁（３）とつながっている。ハネ板（３０）と花弁（３）は、ハネ板（３０）と花弁（３）が突き通されたがく内室（１８）の壁面を支点とする力点と作用点となるテコの仕組みになっており、力点となるハネ板（３０）へがく内室（１８）を浮上するフロート（２８）の浮力（ｆ）によって持ち上がり、作用点となる花弁（３）が倒れ、開花状態の造花（２）となる。
花弁（３）に比して、ハネ板（３０）が十分に重く、フロート（２８）の押上げがなければ、常に蕾状態の造花（１）となる様、花弁（３）が垂直にたった状態となるものとする。または、フロート（２８）の押上げがない場合は、弱い磁気によって花弁（３）が垂直に立った状態を保ってもよい。
【請求項８】
多様な植物の開花の挙動を模し、あるいは、演出するために［請求項２］から［請求項７］に述べた構造を組み合わせて、蕾状態の造花（１）から開花状態の造花（２）となる造花を提供する。また、水以外にも、アルコールなどの膨潤材（８）を膨潤させる液体を開花挙動のトリガーとすることもできる。、
【発明の詳細な説明】
【考案の詳細な説明】
【産業上の利用分野】
【０００１】この考案は、膨潤あるいは浮力を用いて開閉する花弁を備えた蕾の状態この考案は、膨潤あるいは浮力を用いて開閉する花弁を備えた蕾の状態から開花へと挙動する装飾用造花に関するものである。
から開花へと挙動する装飾用造花に関するものである。
【背景技術】
【０００２】造花は、その質感や色合い、緻密さへの要望応えるために材料や技術の革新によって、生花に迫る程精巧なものがある。
【考案が解決しようとする課題】
【０００３】生花にはできない、造花を選択する魅力として、所定の時間内に開花の経緯を一連の挙動として見せるものはなかった。
【問題を解決するための手段】
【０００４】（イ）開花している形状を記憶し、復元する材質で形状保持材（７）を具備した花弁（３）を、蕾の状態に固定するのに注水や加湿することで、接着力や粘着力を失うのり（５）、もしくは、溶けて結束力を失う溶解性糸（６）を採用する。
（ロ）片面に膨潤材（８）を、その裏面に膨張や伸縮を抑制する形状保持材（７）を一体とした花弁（３）とし、これに注水や加湿することで反り返りの挙動を開花の動きを模す手段とする。
（ハ）また、花弁（３）の基部を、回転運動を起こすための弾性を有する基台に固定する。あるいは、花弁（３）の基部にテコ作用が働く形状とする。
本校案は、以上のような構成、以上のような構成の組合せからなる造花である。
【作用】
【０００５】（イ）開花している形状を記憶し、復元する材質で形状保持材（７）を具備した花弁（３）を、注水や加湿することで、接着力や粘着力を失うのり（５）で、もしくは、溶けて結束力を失う溶解性糸（６）で蕾の状態に固定する。
この様な方法で蕾状態となっている造花に注水や加湿することで開花の挙動を引き起こす造花ができる。
（ロ）片面に膨潤材（８）を、その裏面に膨張や伸縮を抑制する形状保持材（７）を一体とした花弁（３）とし、乾燥時には蕾の形状で、これに注水や加湿することで反り返りの挙動で開花の動きを模す造花ができる。
（ハ）花弁（３）の基部を、回転運動を起こすための弾性を有する基台に固定する。あるいは、花弁（３）の基部にテコ作用が働く形状とする。この様な構成に、注水や加湿、浸水によって引き起こされる膨潤作用、あるいは、テコ作用、浮力（ｆ）等の力が加わることで開花する造花ができる。
【実施例】
【０００６】（イ）開花している形状を記憶し、復元する形状保持材（７）の花弁（３）、あるいは、開花している形状を記憶し、復元する形状保持材（７）を具備した花弁（３）の基部をがく（９）に設置する。注水や加湿することで、接着力や粘着力を失うのり（５）で、もしくは、溶けて結束力を失う溶解性糸（６）で花弁（３）を蕾の状態に花弁（３）同士を接着や結束して固定する。
（ロ）乾燥時には蕾の形状の花弁（３）の蕾の内側面となる片面の反り返りを誘導する部分に膨潤材（８）を、花弁（３）の裏面に膨張や伸縮を抑制する部分に形状保持材（７）を一体化する花弁（３）の基部をがく（９）に設置する。
（ハ）花弁（３）の基部を、椀型弾性基台（１７）に開花した配置で設置する。花弁（３）を設置した椀型弾性基台（１７）をがく（９）に設置する。椀型弾性基台（１７）とがく（９）との間にできたがく内室（１８）に膨潤材ブロック（１９）を設置する。もしくは、膨張材ブロック（１９）を設置せず、椀型弾性基台（１７）の頂点内側に連携ワイヤー（２５）の一端を固定して、導管（１２）とする中空の茎（１１）を通して、連携ワイヤー（２５）の緊張と弛緩を制御する機構と連結する。
（ニ）がく（９）の底部にバラスト（２９）を設置し、がく（９）上部にはがく内室（１８）を設けて、その中にフロート（２８）を収めて、がく（９）上部の側面壁を基部にハネ板（３０）とつながった花弁（３）が貫くように、がく（９）外側に花弁（３）、がく内室（１８）にはハネ板（３０）となる様に設置する。
【考案の効果】
【０００７】本考案は以上のような構造で、注水や加湿、浸水することで蕾状態の造花（１）は開花状態の造花（２）となる様に花弁（３）を挙動せしめ、一定時間の間に花の開花の様子を楽しめ、鑑賞することができる。
【図面の簡単な説明】
【図１】蕾状態の造花
【図２】開花した造花
【図３】のりで蕾状態に固定された花弁の造花
【図４】のりで蕾状態に固定された造花の花弁の断面
【図５】のりが溶解して開花した造花
【図６】糸を通して蕾状態に固定された花弁の造花
【図７】糸が溶解して開花した造花の断面
【図８】糸を通して蕾状態に固定された花弁の造花の断面
【図９】糸が溶解して開花した造花の断面
【図１０】乾燥によって蕾状態に固定された花弁の造花
【図１１】乾燥によって蕾状態に固定された造花の花弁
【図１２】加湿によって反り返る造花の花弁ａ
【図１３】加湿によって反り返る造花の花弁ｂ
【図１４】加湿によって反り返る花弁によって開花状態になる造花
【図１５】乾燥によって蕾状態に固定された花弁の造花の断面
【図１６】加湿によって反り返る花弁によって開花状態になる造花
【図１７】乾燥によって蕾状態から加湿によって開花状態になる造花モデル
【図１８】乾燥した膨潤ブロックバネが作用せず蕾状態の造花の断面
【図１９】含水の膨潤材ブロックの押し上げにより開花状態の造花の断面
【図２０】乾燥した膨潤ブロックバネが作用せず蕾状態の送水型造花の断面
【図２１】含水の膨潤材ブロックの押し上げにより開花状態の送水型造花の断面
【図２２】満水の送水型造花のポンプの断面
【図２３】送水後の送水型造花のポンプ断面
【図２４】蕾状態のワイヤー操作型の造花の断面
【図２５】開花状態のワイヤー操作型の造花の断面
【図２６】固定されたワイヤー操作型造花のワイヤーストッパー
【図２７】解放されたワイヤー操作型造花のワイヤーストッパー
【図２８】蕾状態の浸水型造花の一部断面
【図２９】開花状態の浸水型造花の一部断面
【図３０】蕾状態の浸水型造花の機構の断面
【図３１】開花状態の浸水型造花の構造の断面
【図３２】浸水型造花のイメージ
【符号の説明】１  蕾状態の造花    ２  開花状態の造花    ３  花弁
４  花弁基材    ５  のり    ６  溶解性糸    ７  形状保持材
８  膨潤材    ９  がく    １０  締付けリング
１１  茎    １２  導管    １３  水    １４  めしべ
１５  おしべ    １６  子房ピン    １７  椀型弾性基台
１８  がく内室    １９  膨張材ブロック    ２０  送水ポンプ
２１  シリンダー    ２２  ピストン    ２３  送水口
２４  ばね    ２５  連携ワイヤー    ２６  フック
２７  ストッパー    ２８  フロート    ２９  バラスト
３０  ハネ板    ３１  取水口    ３２  排気口
ａ  開花挙動方向    ｂ  形状保持力方向
ｃ  対抗力方向    ｄ  開花形状目標    ｅ  蕾形状目標
ｆ  浮力    ｇ  重力
【図１】
2017122300.tif 000003
【図２】
2017122300.tif 000004
【図３】
2017122300.tif 000005
【図４】
2017122300.tif 000006
【図５】
2017122300.tif 000007
【図６】
2017122300.tif 000008
【図７】
2017122300.tif 000009
【図８】
2017122300.tif 000010
【図９】
2017122300.tif 000011
【図１０】
2017122300.tif 000012
【図１１】
2017122300.tif 000013
【図１２】
2017122300.tif 000014
【図１３】
2017122300.tif 000015
【図１４】
2017122300.tif 000016
【図１５】
2017122300.tif 000017
【図１６】
2017122300.tif 000018
【図１７】
2017122300.tif 000019
【図１８】
2017122300.tif 000020
【図１９】
2017122300.tif 000021
【図２０】
2017122300.tif 000022
【図２１】
2017122300.tif 000023
【図２２】
2017122300.tif 000024
【図２３】
2017122300.tif 000025
【図２４】
2017122300.tif 000026
【図２５】
2017122300.tif 000027
【図２６】
2017122300.tif 000028
【図２７】
2017122300.tif 000029
【図２８】
2017122300.tif 000030
【図２９】
2017122300.tif 000031
【図３０】
2017122300.tif 000032
【図３１】
2017122300.tif 000033
【図３２】
2017122300.tif 000034